(57)【要約】【課題】  ストレーナ交換の水抜き時に流入側の水がストレーナで濾過されることなく、流出側の水路内に残留することを防ぎ、かつストレーナを流入口へ押し当てる力を、水を流した状態でも調整可能としたストレーナ装置を提供することである。【解決手段】  流入口２と流出口３とが直交するように設けられた筐体１と、一方に開口部位２３を備えた有底筒状体であって側面が網状体２２よりなるストレーナ２０と、ストレーナ２０が取り出し可能となるように筐体１の流出口３の対向面に取り付けられた蓋５０と、を備えたストレーナ装置７０において、筐体１の流入口２との対向面に形成されたネジ穴６にストレーナ２０の底部を押圧する押え部材４０をねじ込むことにより、ストレーナ２０の開口部位２３が筐体１の流入口２に押し当て固定されている。【選択図】図１
2006035077.tif 000002
【特許請求の範囲】
【請求項１】
流入口と流出口とが直交するように設けられた筐体と、一方に開口部位を備えた有底筒状体であって側面が網状体よりなるストレーナと、ストレーナが取り出し可能となるように筐体の流出口の対向面に取り付けられた蓋と、を備えたストレーナ装置において、筐体の流入口との対向面に形成されたネジ穴にストレーナの底部を押圧する押え部材をねじ込むことにより、ストレーナの開口部位が筐体の流入口に押し当て固定されていることを特徴とするストレーナ装置。
【請求項２】
前記ストレーナが、底部にも網状体を備えて、かつ底部の中央に押え部材と接触する押受部位を有する円筒形状体のフレームを備えていることを特徴とする請求項１に記載のストレーナ装置。
【請求項３】
前記流入口が、ストレーナの開口部位が押し当てられる部位でテーパ形状を成していることを特徴とする請求項１または２に記載のストレーナ装置。
【請求項４】
前記ストレーナが、Oリングを介して流入口に押し当てられていることを特徴とする請求項１から３のいずれかに記載のストレーナ装置。
【発明の詳細な説明】
【技術分野】
【０００１】
本願発明は、ストレーナ装置に関し、具体的には、水洗便器への貯水タンクに至る配管系や食器乾燥機の排水管系などに介在させるのに有用なストレーナ装置に関するものである。
【背景技術】
【０００２】
従来から、特開２００２−１０２６１６号公報に示される如く、水洗便器への貯水タンクに至る配管系等に用いられ、流入口と流出口とが直交するように設けられた筐体の内部に水路を形成しているとともに、蓋をねじ込んで側面が網状体よりなるゴミ取り用のストレーナを筐体の流入口に開口部位が接面するように取り付けられているストレーナ装置は知られている。
【０００３】
このようなストレーナ装置は、水洗便器への貯水タンクに至る配管系や食器乾燥機の排水管系などに介在させるのに使用されるものであった。例えば、水洗便器に対して使用される場合であると、同水洗便器に温水洗浄や温水便座などの設備を付与させたりするのに用いられ、貯水タンクに対しての既設の配管系から新に配置した付帯設備に給水させるため、ゴミ取り用のストレーナを取り付けたストレーナ装置を介在させたものであった。
【特許文献１】特開２００２−１０２６１６号公報
【発明の開示】
【発明が解決しようとする課題】
【０００４】
しかしながら、特開２００２−１０２６１６号公報に示されるようなストレーナ装置においては、ストレーナの交換時には流入側の水路を止水した後、蓋を取り外して水抜きを行う。このとき、流出側の水路から逆流してきた水が、筐体の流入口と流出口との間の空間において乱流状態となり、大部分は筐体外へと排出されるが、一部が流入側の水をまき込んで流出側の水路に残留する。また、ストレーナは蓋をねじ込むことにより流入口に取り付けられているので、水抜き時にはストレーナは固定されておらず、そのため流入側の水路内のゴミを含んだ水がストレーナで濾過されずに、流出側の水路に流れ込んで残留してしまい、そのゴミを含んだ水が貯水タンクに流入するという不具合があった。
【０００５】
また、ストレーナを流入口へ押し当てる力を、水を流しながら調整することができないので、その分過度に押し当てる設計を行う必要があり、そのため取り付け時にストレーナが変形してしまう不具合もあった。
【０００６】
本願発明は、上記背景技術に鑑みて発明されたものであり、その課題は、ストレーナ交換の水抜き時に流入側の水路の水がストレーナで濾過されることなく、流出側の水路内に流入して残留することを防ぎ、かつストレーナを流入口へ押し当てる力を、水を流した状態でも調整可能としたストレーナ装置を提供することである。
【課題を解決するための手段】
【０００７】
上記課題を解決するために、本願発明は、流入口と流出口とが直交するように設けられた筐体と、一方に開口部位を備えた有底筒状体であって側面が網状体よりなるストレーナと、ストレーナが取り出し可能となるように筐体の流出口の対向面に取り付けられた蓋と、を備えたストレーナ装置において、筐体の流入口との対向面に形成されたネジ穴にストレーナの底部を押圧する押え部材をねじ込むことにより、ストレーナの開口部位が筐体の流入口に押し当て固定されているものである。
【発明の効果】
【０００８】
本願発明のストレーナ装置においては、蓋を外してもストレーナは筐体の流入口に押し当てられているので、水抜き時に流出側から流入側へゴミが流入することを防止できる。また、ストレーナを流入口へ押し当てる力を、水を流した状態でも調整可能としたので、過度に押し当てることによるステレーナの変形を防止できる。
【発明を実施するための最良の形態】
【０００９】
図１および２は、本願の請求項１から４の全ての請求項に対応した実施形態のストレーナ装置７０を示している。この実施形態で用いるストレーナ装置７０は、流入口２と流出口３とが直交するように設けられた筐体１と、一方に開口部位２３を備えた有底筒状体であって側面が網状体２２よりなるストレーナ２０と、ストレーナ２０が取り出し可能となるように筐体１の流出口３の対向面に取り付けられた蓋５０と、を備えたストレーナ装置７０において、筐体１の流入口２との対向面に形成されたネジ穴６にストレーナ２０の底部を押圧する押え部材４０をねじ込むことにより、ストレーナ２０の開口部位２３が筐体１の流入口２に押し当て固定されているものである。
【００１０】
又、この実施形態のストレーナ装置７０は、ストレーナ２０が、底部にも網状体２２を備えて、かつ底部の中央に押え部材４０と接触する押受部位２４を有する円筒形状体のフレーム２１を備えているものである。
【００１１】
又、この実施形態のストレーナ装置７０は、流入口２が、ストレーナ２０の開口部位２３が押し当てられる部位でテーパ５を備えているものである。
【００１２】
又、この実施形態のストレーナ装置７０は、ストレーナ２０が、Oリング６０を介して流入口２に押し当てられているものである。
【００１３】
以下、この実施形態のストレーナ装置７０を、より具体的に説明する。この実施形態のストレーナ装置７０は、図１・２に示す如く、内部に水を流すための空洞を備えた筐体１と、その水の中にある水垢等のゴミを捕集して水を濾過するためのストレーナ２０と、ストレーナ２０を筐体１の内部に固定するための押え部材４０と、ストレーナ２０を交換する際における筐体１の内部の水抜き及びストレーナ２０の取り出しのための蓋５０と、水の漏洩を防止するためにストレーナ２０・押え部材４０・蓋５０の各部と筐体１との間に取り付けられたOリング６０・６１・６２と、で構成されている。
【００１４】
筐体１は、流入口２と流出口３とが直交するように設けられて、その直交部位４には入口と流出口３を繋ぎつつストレーナ２０を内部に配置するための空間を備えている。また、筐体１は流出口３との対向面に開口８を備えており、その開口８の内側に蓋５０と螺合するためのネジ溝が設けられている。さらに、筐体１の流入口２との対向面には押え部材４０と螺合するためのネジ穴６が形成されており、このネジ穴６の周囲はネジ穴６の長さを確保するために外側に突出した台座７が設けられている。そして、筐体１の内部の流入口２はストレーナ２０を配置・固定し易いようにテーパ５を備えている。
【００１５】
ストレーナ２０は、図３に示す如く、押え部材４０からの押し当て力を支持するためのフレーム２１と、フレーム２１の内面に接合されてゴミを捕集するための網状体２２で構成されている。フレーム２１は、流入口２の内径よりも大きな外径を備えた2つの薄い円筒体を４本のリブ２５で繋いだ構造を概略なしており、一方の円筒体の中央部には３本のリブ２６で支持された円柱体形状の押受部位２４を備えている。また、フレーム２１は、他方の円筒体の外側面にOリング６０を介して良好に流入口２のテーパ部に押し当て可能なようにＯリング溝２７と流入口２のテーパ５よりも大きな傾斜角度を備えたテーパ部位２８と、を備えている。一方網状体２２は、円筒体を繋いだ４本のリブ２５で構成されるフレーム２１の側面部および押受部位２４・３本のリブ２６・円筒体で構成されるフレーム２１の底部の内面に接合されており、網目のサイズは捕集したい水中にある水垢等のゴミのサイズに応じて自由自在に設定することができるものとなっている。そして、Ｏリング溝２７及びテーパ部位２８を備えた円筒体の側の内面には網状体２２は接合されておらず、開口部位２３となっているものである。
【００１６】
押え部材４０には、筐体１の流入口２との対向面に設けられたネジ穴６にねじ込むことが可能なすりわり付き小ネジ等の市販のネジが用いられており、その長さは筐体１の内部に取り付けられているストレーナ２０の形状、筐体１の形状を考慮して設定されている。また、ストレーナ２０の押受部位２４との接触箇所となる押え部材４０の先端は、押受部位２４に良好に押し当てることが可能なように平滑面となっているものである。
【００１７】
蓋５０は、筐体１の流出口３と対向する面に設けられた開口８を塞ぐために、筐体１の開口８を覆うことが可能な大きさの径と筐体１の開口８の内側に設けられたネジ溝に螺合する雄ネジ径とを備えた段付きの円柱形状を成しており、その背面には蓋５０を筐体１に着脱し易いように溝５２が設けられているものである。
【００１８】
次に、この実施形態のストレーナ装置７０における各部材の配置について詳細を説明する。ストレーナ２０は、その開口部位２３がＯリング溝２７に嵌め込まれたOリング６０を介して筐体１の流入口２のテーパ５と対向するように位置決めされて配置されている。また、ストレーナ２０は、流入口２との対向面のネジ穴６に螺合された押え部材４０をねじ込んでストレーナ２０の押受部位２４を押えつけることにより、筐体１の流入口２に押し当て固定されているものである。このとき、押え部材４０の頭部４１と筐体１の台座７との間には押え部材４０のネジ径と略等しい内径を備えたOリング６１を配しており、このOリング６１を圧縮・変形させることにより流入口２との対向面に形成されたネジ穴６から水が漏洩するのを防止している。そして、このOリング６１の厚みにストレーナ２０に嵌め込まれたOリング６０の厚みを加えた長さ分だけ押え部材４０のねじ込み量（ストレーナ２０の筐体１の流入口２への押し当て力）が調整可能なものとなっている。蓋５０は、蓋５０のネジ径と略等しい内径を備えたOリング６２が嵌め込まれた後、筐体１の流出口３との対向面に設けられた開口８に蓋５０がねじ込まれて、筐体１に固定されている。そして、このOリング６２を圧縮・変形させることにより、筐体１の開口８と蓋５０との隙間から水が漏洩するのを防止しているものとなっている。
【００１９】
そして、この実施形態のストレーナ装置７０は、ストレーナ２０を取り外す際にはストレーナ２０を押え部材４０で固定したまま蓋５０を筐体１から取り外して水抜きを行った後、押え部材４０を取り外してストレーナ２０の固定を解除し、ストレーナ２０を筐体１の開口８より取り出すことが可能なものとなっている。また、ストレーナ２０を取り付ける際にはストレーナ２０の開口部位２３が筐体１の流入口２のテーパ５にストレーナ２０に取り付けられたOリング６０を介して対向するように配置した後、押え部材４０を筐体１の流入口２との対向面よりねじ込むことによりストレーナ２０を固定して、その後蓋５０を筐体１に取り付けて、ストレーナ２０の取り付けは完了するものである。また、その後必要に応じてストレーナ２０を流入口２へ押し当てる力を、押え部材４０のねじ込み量を調整することにより、水を流した状態で調整するものである。
【００２０】
なお、ストレーナ２０はこの実施形態ではフレーム２１と網状体２２より構成されていたが、筐体１の流入口２との対向面に配された押え部材４０でその開口部位２３が筐体１の流入口２に押し当て固定できる構造であれば、網状体２２のみで構成されていても良い。
【００２１】
以上の構成を備えることにより、蓋５０を外してもストレーナ２０は筐体１の流入口２に押し当てられているので、水抜き時に流出側から流入側へゴミが流入することを防止できる。また、ストレーナ２０を流入口２へ押し当てる力を、水を流した状態でも調整可能としたので、過度に押し当てることによるステレーナの変形を防止できるものである。
【００２２】
また、この実施形態のストレーナ装置７０は、ストレーナ２０の底部にも網状体２２を備えて、かつ底部の中央に押え部材４０と接触する押受部位２４を有する円筒形状体のフレーム２１を備えているので、ストレーナ２０の底部からも水が流れることができ、水が流れている際のストレーナ装置７０における圧力損失を小さくできる。
【００２３】
また、この実施形態のストレーナ装置７０は、筐体１の流入口２がテーパ５を成しているものであるので、ストレーナ２０を筐体１の内部の流入口２に配置し易い。
【００２４】
また、この実施形態のストレーナ装置７０は、ストレーナ２０がOリング６０を介して流入口２に押圧されているものであるので、ストレーナ２０を通らずに流入口２から流出口３に水が流れることを防止できて、流出口３へゴミが流れるのを確実に防止できる。
【図面の簡単な説明】
【００２５】
【図１】本願発明の実施形態に係るストレーナ装置の正面断面図。
【図２】図１における側面図（左側）とＡ−Ａ断面図（右側）。
【図３】図１のストレーナ装置に備えられたストレーナの斜視図。
【符号の説明】
【００２６】
１    筐体
２    流入口
３    流出口
４    直交部位
５    テーパ
６    ネジ穴
７    台座
８    開口
２０  ストレーナ
２１  フレーム
２２  網状体
２３  開口部位
２４  押受部位
２５  リブ
２６  リブ
２７  Oリング溝
２８  テーパ部位
４０  押え部材
４１  頭部
５０  蓋
５１  雄ネジ部
５２  溝
６０  Oリング
６１  Oリング
６２  Oリング
７０  ストレーナ装置
【図１】
2006035077.tif 000003
【図２】
2006035077.tif 000004
【図３】
2006035077.tif 000005